(57)【要約】【課題】製造時や使用後に薬剤を簡単に保持できるようにした簡易薬剤揮散器とする。【解決手段】支持体１０に、伸縮自在な多数のセル２１を有したハニカム構造の薬剤保持体２０を、その支持体１０が２つ折り状態の時には薬剤保持体２０が重合形状で、展開状態の時には薬剤保持体２０が立体形状となるように取付け、前記支持体１０に開口部１６を薬剤保持体２０に向けて形成し、その開口部１６から薬剤を供給することで薬剤保持体２０に薬剤を保持できるようにした簡易薬剤揮散器。【選択図】      図５
2005006884.tif 000002
【特許請求の範囲】
【請求項１】
２つ折り状態と展開状態に変位する支持体１０と、
伸縮自在な多数のセル２１を有するハニカム構造で、多数のセル２１が重なり合う重合形状と多数のセルが拡開した立体形状に拡開・折り畳み自在な薬剤保持体２０と、
この薬剤保持体２０に保持した揮散性の薬剤を備え、
前記薬剤保持体２０が支持体１０に、２つ折り状態の時に重合形状で、展開状態の時に立体形状となるように取付けられ、
前記支持体１０に、薬剤保持体２０に薬剤を供給して保持させるための薬剤供給用の開口部１６が、薬剤保持体２０と対応して形成したことを特徴とする簡易薬剤揮散器。
【請求項２】
薬剤保持体２０の開口部１６と対向した部分に凹陥部２２を形成した請求項１記載の簡易薬剤揮散器。
【請求項３】
支持体１０は、第１板状体１１と第２板状体１２を折り曲げ用連結片１３で連結した形状で、
薬剤保持体２０は、重合形状の時の一端面２０ａが前記折り曲げ用連結片１３と対向し、
その折り曲げ用連結片１３に開口部１６を形成した請求項１又は２記載の簡易薬剤揮散器。
【請求項４】
第１板状体１１と第２板状体１２を２つ折り状態に保持する保持手段を設け、
この保持手段は、２つ折り状態における第１板状体１１と第２板状体１２との間隔を調整できる構成である請求項３記載の簡易薬剤揮散器。
【請求項５】
２つ折り状態と展開状態に変位する支持体１０と、
伸縮自在な多数のセル２１を有するハニカム構造で、多数のセル２１が重なり合う重合形状と多数のセルが拡開した立体形状に拡開・折り畳み自在な薬剤保持体２０と、
この薬剤保持体２０に保持した揮散性の薬剤を備え、
前記薬剤保持体２０が支持体１０に、２つ折り状態の時に重合形状で、展開状態の時に立体形状となるように取付けられ、
前記支持体１０に、薬剤保持体２０に薬剤を供給して保持させるための薬剤供給用の開口部１６が、薬剤保持体２０と対応して形成された簡易薬剤揮散器及び前記開口部１６から薬剤保持体２０に薬剤を供給する薬剤供給手段３０を具備し、
前記簡易薬剤揮散器を製造した後に、その開口部１６から薬剤供給手段３０によって薬剤を薬剤保持体２０に供給することで保持することを特徴とする簡易薬剤揮散器の薬剤保持方法。
【請求項６】
薬剤供給手段３０は、所定の量の薬剤を供給する定量供給機能を備えている請求項５記載の簡易薬剤揮散器の薬剤保持方法。
【発明の詳細な説明】
【０００１】
【発明の属する技術分野】
本発明は、ファンやヒータなどを用いずに薬剤を自然に気中に揮散する、主として室内や車内で使用する簡易薬剤揮散器及びその簡易薬剤揮散器に薬剤を保持する方法に関する。
【０００２】
【従来の技術】
特許文献１に開示された簡易薬剤揮散器が知られている。
すなわち、多数枚のシートを接着した拡幅自在のハニカム材に、薬剤（消臭剤）を添着し、そのハニカム材を拡幅することで自然に薬剤を気中に揮散する簡易薬剤揮散器である。
【０００３】
【特許文献１】
実公平３−１４１９１号公報
【０００４】
【発明が解決しようとする課題】
前述した従来の簡易薬剤揮散器においてはハニカム材に薬剤を添加するやり方として、シート製造時に内部添加、シート製造中又は製造後に塗布、浸潰、噴霧による添着、ハニカム材に加工してから塗布、浸潰、噴霧で添着することが開示されている。
しかしながら、ハニカム材に加工してから薬剤を、塗布、浸潰、噴霧等によって、どのように添着するかが具体的に開示されておらず、この種の簡易薬剤揮散器を商品化する上での課題となっている。
【０００５】
また、昨今の廃棄物問題、省資源問題などの社会的事情の中、前述した簡易薬剤揮散器を使用した後に、そのハニカム材に薬剤を補給して新たに添着できれば、繰り返し使用できる簡易薬剤揮散器とすることができ、そのような簡易薬剤揮散器が望まれている。
【０００６】
本発明は、前述の課題に鑑みなされたものであって、その目的は、製造時や使用後に薬剤を、薬剤保持体に簡単に保持できるようにした簡易薬剤揮散器及びその薬剤保持方法を提供することである。
【０００７】
【課題を解決するための手段】
第１の発明は、２つ折り状態と展開状態に変位する支持体１０と、
伸縮自在な多数のセル２１を有するハニカム構造で、多数のセル２１が重なり合う重合形状と多数のセルが拡開した立体形状に拡開・折り畳み自在な薬剤保持体２０と、
この薬剤保持体２０に保持した揮散性の薬剤を備え、
前記薬剤保持体２０が支持体１０に、２つ折り状態の時に重合形状で、展開状態の時に立体形状となるように取付けられ、
前記支持体１０に、薬剤保持体２０に薬剤を供給して保持させるための薬剤供給用の開口部１６が、薬剤保持体２０と対応して形成したことを特徴とする簡易薬剤揮散器である。
【０００８】
第２の発明は、第１の発明において薬剤保持体２０の開口部１６と対向した部分に凹陥部２２を形成した簡易薬剤揮散器である。
【０００９】
第３の発明は、第１又は第２の発明において支持体１０は、第１板状体１１と第２板状体１２を折り曲げ用連結片１３で連結した形状で、
薬剤保持体２０は、重合形状の時の一端面２０ａが前記折り曲げ用連結片１３と対向し、
その折り曲げ用連結片１３に開口部１６を形成した簡易薬剤揮散器である。
【００１０】
第４の発明は、第３の発明において第１板状体１１と第２板状体１２を２つ折り状態に保持する保持手段を設け、
この保持手段は、２つ折り状態における第１板状体１１と第２板状体１２との間隔を調整できる構成である簡易薬剤揮散器である。
【００１１】
第５の発明は、２つ折り状態と展開状態に変位する支持体１０と、
伸縮自在な多数のセル２１を有するハニカム構造で、多数のセル２１が重なり合う重合形状と多数のセルが拡開した立体形状に拡開・折り畳み自在な薬剤保持体２０と、
この薬剤保持体２０に保持した揮散性の薬剤を備え、
前記薬剤保持体２０が支持体１０に、２つ折り状態の時に重合形状で、展開状態の時に立体形状となるように取付けられ、
前記支持体１０に、薬剤保持体２０に薬剤を供給して保持させるための薬剤供給用の開口部１６が、薬剤保持体２０と対応して形成された簡易薬剤揮散器及び前記開口部１６から薬剤保持体２０に薬剤を供給する薬剤供給手段３０を具備し、
前記簡易薬剤揮散器を製造した後に、その開口部１６から薬剤供給手段３０によって薬剤を薬剤保持体２０に供給することで保持することを特徴とする簡易薬剤揮散器の薬剤保持方法である。
【００１２】
第６の発明は、第５の発明において薬剤供給手段３０は、所定の量の薬剤を供給する定量供給機能を備えている簡易薬剤揮散器の薬剤保持方法である。
【００１３】
【作  用】
第１の発明によれば、支持体１０を２つ折り状態とすることで薬剤保持体２０が重合形状となる。
よって、揮散器全体がコンパクトになって運搬、保管等が容易である。
前記支持体１０を展開状態とすることで薬剤保持体２０が立体形状となり、この薬剤保持体２０の空気と接触する面積が大きいから、薬剤をスムーズに自然に気中に揮散することができる。
【００１４】
また、支持体１０の開口部１６から薬剤を薬剤保持体２０に供給することで、その薬剤保持体２０が薬剤を保持する。
よって、製造時や使用後に薬剤保持体２０に薬剤を簡単に保持できる。
【００１５】
したがって、薬剤支持体２０を支持体１０に取付けた後に薬剤保持体２０に薬剤を保持させることで製造できるから、その製造作業が容易であると共に、薬剤保持体２０に損傷を与えることがない。
また、使用後に薬剤保持体２０に薬剤を保持させることで、繰り返し使用できるから経済的である。
【００１６】
第２の発明によれば、凹陥部２２に薬剤を溜めることができるので、その薬剤の供給を容易にできる。
【００１７】
第３の発明によれば、支持体１０を、折り曲げ用連結片１３が上となるように支持し、その開口部１６から薬剤を供給することで薬剤保持体２０の一端面２０ａに供給されるので、その薬剤保持体２０の全体に亘って薬剤を効率良く保持できる。
この場合に、開口部１６は折り曲げ用連結片１３の長手方向中央部に形成し、薬剤保持体２０の一端面２０ａにおける長手方向中央部に薬剤が供給されるようにすることが好ましい。
【００１８】
第４の発明によれば、第１板状体１１と第２板状体１２を２つ折り状態に保持できるから、持ち運び時などに展開状態となることがない。
また、第１板状体１１と第２板状体１２の間隔を調整することで、薬剤保持体２０のセル２１を若干拡開した状態になるので、薬剤を保持し易い。
【００１９】
第５の発明によれば、支持体１０に薬剤保持体２０を取付けて簡易薬剤揮散器を製造した後に、薬剤供給手段３０によって開口部１６から薬剤を供給して薬剤保持体２０に薬剤を保持するので、薬剤保持体２０が薬剤を保持しない状態で支持体１０に取付けることができるから、その薬剤保持体２０を人が手で持って取り扱う際に薬剤が手に付着することがないし、薬剤を保持していないから支持体１０に強固に取付けできる。
また、使用によって薬剤が揮散して無くなった場合等には、再度薬剤を保持して繰り返し使用できる。
【００２０】
第６の発明によれば、薬剤供給手段３０によって薬剤保持体２０に所定の量の薬剤を供給できるので、所定の量の薬剤を簡単に保持できる。
【００２１】
【発明の実施の形態】
図１と図２に示すように、板状の支持体１０と、この支持体１０に取付けた薬剤保持体２０と、この薬剤保持体２０に保持した揮散性の薬剤で簡易薬剤揮散器としている。
前記支持体１０は、図１に示すように２つ折りされた状態と図２に示すように１８０度に展開した状態、又は図３に示すように３６０度展開した状態に変位自在である。
例えば、支持体１０は第１板状体１１と、第２板状体１２と、この第１板状体１１と第２板状体１２に亘って一体的に設けられた折り曲げ用連結片１３を備えた板状で、図１に示す２つ折り状態から第１・第２板状体１１，１２を矢印ａ方向に動かして図２に示す１８０度に展開した状態に変位できるし、図２に示す１８０度に展開した状態から第１・第２板状体１１，１２を矢印ｂ方向に動かすことで、その第１・第２板状体１１，１２が接した図３に示す３６０度に展開した状態に変位できる。
【００２２】
そして、運搬、保管時等には図１に示す２つ折り状態とし、使用時には図２、図３に示す展開状態とする。
なお、図２に示す１８０度の展開状態の場合には、その支持体１０をテーブル等に載置して使用したり、壁に吊り下げて使用する。
図３に示す３６０度の展開状態の場合には、その支持体１０を壁等に吊り下げて使用する。
図３に吊り下げ用の穴１０ａが仮想線で図示してある。
【００２３】
この実施の形態では第１・第２板状体１１，１２は、ほぼ半円形状の板１１ａ，１２ａと、その円弧状面に一体的に設けた取手片１１ｂ，１２ｂを有し、その半円形状の板１１ａ，１２ａの直線状面が折り曲げ用連結片１３で一体的に連結されている。
そして、前記取手片１１ｂ，１２ｂを持って前述したように２つ折り状態、１８０度展開状態、３６０度展開状態に変位できるようにしてある。
よって、支持体１０を容易に各状態に変位することができる。
なお、展開状態は１８０度、３６０度に限ることはなく、任意の角度に展開できることは勿論である。
【００２４】
前記薬剤保持体２０は、伸縮自在な多数のセル２１を有するハニカム構造で、図１に示すように多数のセル２１が重なり合う重合形状と、図２、図３に示すように多数のセル２１が拡開した立体形状、例えばほぼ半球形状、ほぼ球形状に拡開、折り畳み自在である。
この薬剤保持体２０は支持体１０の内面、例えば第１・第２板状体１１，１２のほぼ半円形状の板１１ａ，１２ａの対向面に跨って取付け、例えば接着してある。
【００２５】
このようであるから、支持体１０を２つ折り状態とすることで薬剤保持体２０は重合形状となり、簡易薬剤揮散器がコンパクトになる。
また、薬剤保持体２０が支持体１０で被覆される。
よって、簡易薬剤揮散器の運搬、保管が容易であるし、取り扱う時に薬剤保持体２０に人の手が触れることがないから、薬剤が人の手に付着しない。
【００２６】
また、支持体１０が展開状態であると薬剤保持体２０が立体形状で、多数のセル２１が拡開しているので、薬剤保持体２０の空気と触れる面積が大きく、保持した薬剤がスムーズに揮散する。
【００２７】
この実施の形態では、支持体１０を図１に示す２つ折り状態に保持する保持手段を備えている。
例えば、図２と図４に示すように第１・第２板状体１１，１２の取手片１１ｂ，１２ｂに雄係止部１４と雌係止部１５を設け、この雄係止部１４と雌係止部１５を図４に示すように嵌合しながら係止することで支持体１０の第１・第２板状体１１，１２を２つ折り状態に保持する。
この保持手段によれば、雄係止部１４と雌係止部１５の嵌合長さを変えることで、第１板状体１１と第２板状体１２の間隔を調整できる。
なお、各取手片１１ｂ，１２ｂの端部に相互に係止する係止片を設けて保持手段としても良い。また、ゴムバンドなどを保持手段としても良い。
【００２８】
前記支持体１０には薬剤保持体２０に薬剤を供給して保持させるための薬剤供給用の開口部１６を有し、この開口部１６は薬剤保持体２０と対向している。
このようであるから、薬剤供給手段によって開口部１６から薬剤を薬剤保持体２０に供給することで、その薬剤保持体２０に薬剤を保持することができる。
よって薬剤を保持しない薬剤保持体２０を支持体１０に取付け、その後に薬剤保持体２０に薬剤を保持できるから、製造時に薬剤保持体２０に薬剤を簡単に保持できる。
また、使用により薬剤保持体２０から薬剤が揮散した場合に、その薬剤保持体２０に薬剤を簡単に保持できる。
また、使用中に前述のように薬剤を保持させることで、使用期間を延ばすことができる。
【００２９】
前述の供給する薬剤の形態は、有効成分を含んだ液状薬剤、有効成分を含んだジェル状、ゲル状の半固形状薬剤、有効成分を含んだ粉粒などの固形状薬剤などの製剤が挙げられる。好ましくは、薬剤保持体２０への保持速度が速いことから有効成分を含んだ液状薬剤の製剤である。
また、液状薬剤を供給する仕方としては、滴下、噴霧、接触付着（塗布）等が挙げられるが、これに限ることはない。
【００３０】
例えば、折り曲げ用連結片１３の長手方向中間部に開口部１６が形成され、この開口部１６は重合形状の薬剤保持体２０の一端面２０ａにおける長手方向中間部、好ましくは長手方向中央部に開口している。
このようであるから、例えば図５に示すように支持体１０を２つ折り状態として開口部１６が上向きとなるようにし、薬剤供給手段３０、例えばノズル３１を備えた容器３２を開口部１６の上方に位置し、そのノズル３１で液状の薬剤３３を開口部１６から薬剤保持体２０に滴下することで、その薬剤が含浸して保持される。
【００３１】
この時、支持体１０を完全に２つ折りした状態から若干展開して薬剤保持体２０が完全に重合した形状から若干拡開した形状として薬剤保持体２０の多数のセル２１が若干拡開した状態とする。例えば、保持手段によって第１板状体１１と第２板状体１２の間隔を調整して若干広くする。
このようにすることで、薬剤が薬剤保持体２０に含浸し易くなる。
【００３２】
この実施の形態では、薬剤保持体２０の開口部１６と対向した部分に凹陥部２２が形成してある。
例えば、薬剤保持体２０の一端面２０ａにおける開口部１６と対向した部分が切り取りされて折り曲げ用連結片１３の内面に接着されず、凹陥部２２を形成している。
このようであるから、その凹陥部２２に薬剤が溜まるので、薬剤保持体２０に薬剤をより簡単に保持することができる。
【００３３】
前記開口部１６の形状、大きさ、数、形成する位置は前述のものに限ることはなく、任意とすることができる。好ましくは、薬剤の供給の仕方に合致したものとする。
例えば、開口部１６の形状は、矩形状、スリット形状、小孔などが例示できる。
開口部１６の数は１つでも、２つ以上でも良いし、形状の異なる開口部１６を２つ以上としても良い。
開口部１６を形成する位置は、折り曲げ用連結片１３に限ることはなく、折り曲げ用連結片１３と第１・第２板状体１１，１２に連続して形成しても良いし、第１・第２板状体１１，１２に形成しても良い。
【００３４】
例えば、図６に示すように、折り曲げ用連結片１３の一部分と第１板状体１１、第２板状体１２の一部分を連続して切欠きして開口部１６としても良い。具体的には、折り曲げ用連結片１３の長手方向中間部を切欠きし、この切欠き部１７と連続して第１・第２板状体１１，１２をほぼ半円形に切欠き、この切欠き部１８，１９と前記切欠き部１７で開口部１６とする。
この場合には、薬剤供給手段３０は図７に示すように、スプレー容器３４とし、そのノズル３５から薬剤を所定時間噴霧しながらスプレー容器３４を回転することで薬剤を短時間で所定量を供給することができる。
【００３５】
また、前記開口部１６は、折り曲げ用連結片１３に長手方向に間隔を置いて複数形成しても良い。
また第１・第２板状体１１，１２の折り曲げ用連結片１３寄り部分にのみ開口部１６を形成しても良い。
また第１・第２板状体１１，１２に開口部１６を形成しても良いし、第１板状体１１と第２板状体１２の一方にのみ開口部１６を形成しても良い。
例えば、図８と図９に示すように、第１板状体１１に複数の小孔１６ａを薬剤保持体２０と対向して形成して開口部１６とする。
【００３６】
この場合には、第１板状体１１が上となるようにセットし、その第１板状体１１の上方から前述の薬剤供給手段３０によって各小孔１６ａに薬剤を供給することで、薬剤保持体２０が薬剤を保持するようにする。
このような場合には、図９に示すように薬剤保持体２０に、重合形状において前記開口部１６（小孔１６ａ）に対向する孔２３を形成することが好ましい。このようにすれば、その孔２３に薬剤が入り込むので薬剤保持体２０に薬剤が保持し易くなる。
【００３７】
次に、支持体１０の他の実施の形態を説明する。
第１板状体１１と第２板状体１２を別体としてヒンジで２つ折り状態と展開状態に変位自在としても良い。
例えば、図１０に示すように第１板状体１１に雄突部４０、第２板状体１２に雌突部４１をそれぞれ一体的に設け、この雄突部４０と雌突部４１を回動自在に連結してヒンジ４２とする。
【００３８】
前記支持体１０を、２つ折り状態の時に薬剤保持体２０を収納する形状としても良い。
例えば、図１０と図１１に示すように第１・第２板状体１１，１２の外周縁に沿って内向片４３をそれぞれ設け、２つ折り状態の時に第１板状体１１の内向片４３と第２板状体１２の内向片４３が接して薬剤保持体２０の周囲を囲むほぼ箱形状となるようにする。
なお、図１０、図１１では第１・第２板状体１１，１２をヒンジ４２で連結したが、図１に示すように折り曲げ用連結片１３で連結した場合も前述と同様にすることができることは勿論である。
【００３９】
前記支持体１０の開口部１６を開閉自在としても良い。
例えば、図１２に示すように蓋４４を着脱自在として開口部１６を開閉できるようにする。
具体的には、折り曲げ用連結片１３に開口部１６を形成した場合には、蓋体４４をコ字形状として第１・第２板状体１１，１２に嵌合して取付けできるようにする。
【００４０】
前記第１・第２板状体１１，１２は取手片を備えていない形状、例えば図１０に示すように矩形状の板、又は図示しないがほぼ半円形状の板としても良い。
この場合には、取手片に設けた保持手段を第１・第２板状体１１，１２に薬剤保持体２０と干渉しないように取付けすれば良い。
【００４１】
次に、薬剤保持体２０の他の実施の形態を説明する。
前述の実施の形態では１つの薬剤保持体２０を支持体１０に取付けしたが、薬剤保持体２０を複数に分割しても良い。
例えば、図１３に示すように、内側薬剤保持体２０−１と、外側薬剤保持体２０−２に分割する。
この場合には、支持体１０に各薬剤保持体２０に対向した複数の開口部１６を形成する。
例えば、図１３に示すように、第１板状体１１に内側薬剤保持体２０−１に対向した第１開口部１６−１と外側薬剤保持体２０−２に対向した第２開口部１６−２を形成する。前記第１開口部１６−１はスリット形状で、１つ形成してあり、第２開口部１６−２は小孔で、２つ形成してある。
なお、折り曲げ用連結片１３に第１開口部１６−１を形成しても良いし、折り曲げ用連結片１３に第１・第２開口部１６−１，１６−２をそれぞれ形成しても良い。
【００４２】
次に、薬剤供給手段３０の他の実施の形態を説明する。
前述の実施の形態では、ノズル３１を備えた容器３２、ノズル３５を備えたスプレー容器３４によって薬剤供給手段３０としたが、これに限ることはなく、ノズルを備えたエアゾール容器、容器と刷毛の組合せ、スポイト等でも良いが、前述の薬剤供給手段３０は、供給する薬剤の量を計量する機能を有し、所定量の薬剤を正しく供給できるもの、所定量の薬剤を収容するもの等、所定の量の薬剤を供給する定量供給機能を備えたものが好ましい。
【００４３】
例えば、目盛付き容器を備えたもの、メモリー付き手動スプレー容器、定量用具付きエアゾール容器、定量容器付きボトル、使い切りスポイト容器などが挙げられるが、これに限ることはない。
【００４４】
前記薬剤供給手段３０は、パルプ、綿、スポンジ等の液体を含浸する含浸体を備えたものであっても良い。
例えば、図１４、図１５に示すように薬剤保持体２０の凹陥部２２を大きくし、その凹陥部２２に含浸体２４を充填する。
この含浸体２４に前述の薬剤供給手段３０で薬剤を供給し、その薬剤を薬剤保持体２０に順次含浸させることで、薬剤を供給したものとする。
前記含浸体２４に含浸した薬剤が薬剤保持体２０に保持されたら、その含浸体２４を凹陥部２２から取り出す。
この含浸体２４を備えた薬剤供給手段３０によれば、供給された薬剤が含浸体２４で含浸されるので、凹陥部２２から漏れ出すことがなく、薬剤を正確に供給することができる。
【００４５】
前述の実施の形態では液状の薬剤としたが、半固形状や固形状の薬剤としても良い。
この場合には、薬剤を薬剤保持体２０に接触、付着状態で取付けて保持させる。また薬剤を供給して保持する際に、支持体１０とともに薬剤保持体２０を振動させて半固形状、固形状の薬剤がスムーズに動いて薬剤保持体２０の各部分に行き渡って接着、付着するようにすることが好ましい。
【００４６】
前記支持体１０は、表面に薬剤が付着し難いことが好ましい。
例えば、合成樹脂製の支持体、紙製で表面に樹脂膜などをコーティングした支持体。
前記薬剤保持体２０は、紙、不織布、織物、フィルムなどを挙げることができ、使用する薬剤を保持もしくは含浸するものであれば全て使用可能であり、有効成分やその含有製剤に応じて適宜選択すればよい。
また、形状を維持するため、コシの強い材質を選択、あるいはガスバリア性のフィルムやアルミ箔などをラミネートする、など方法を採用する。
【００４７】
前記薬剤としては、従来より殺虫、防虫、忌避、害虫成長制御、などを目的として用いられている常温揮散性薬剤、または防虫・防黴剤、香料、消臭剤、機能性植物油などの常温揮散性薬剤が挙げられる。これらの単剤、または複合剤として用いる。
また、製剤化において、前記有効成分に、酸化防止剤、紫外線吸収剤、揮散調製剤、着色剤、などを必要に応じて適宜使用する。さらに、液剤の調製に、溶剤、界面活性剤など、エアゾールの調整に、溶剤、高圧ガスなど、ゲル剤の調製に、溶剤、ゲル化剤など、固形剤の調製に、溶剤、増量剤、昇華剤など、を使用する。
【００４８】
前記薬剤（つまり、有効成分）の有効期間の確認方法については、公知技術を採用し、ハニカム構造の薬剤保持体２０及び薬剤に付与したり、あるいは別にインジケータ用具を具備し、使用終点や薬剤の処理時期を確認する。また、補給する薬剤や製剤にも供することで次の薬剤の処理時期を確認する。
公知技術の中でも、色変、消失など目視で確認できる方が分かりやすく好ましい。
例えば、それ自体が昇華し経時的に消失する昇華性物質をインジケーターとして使用する。昇華性物質としては、アダマンタン、シクロドデカン、ノルボルナン、トリメチルノルボルナン、樟脳、メントール、などが例示でき、これを微粒剤、顆粒、錠剤、等形状に成形したものを使用する。
色変物質を利用したものをインジケータとして使用する。
その１つとして、電子供与性呈色化合物、顕色剤、減感剤からなる可変色色素を担持体に含浸したものは、減感剤、又は顕色剤に用いた揮散性薬剤が揮散し、残存率が減少することで電子供与性呈色化合物と顕色剤との反応が開始し呈色を生起し、担持体の色調が変化する。色調として、赤、黒、青、緑、紫、橙、黄、茶、など多くの色が可能であり、前記３成分の選定、組合せ等によって希望する色調、色濃度、色変時期を得ることができる。
また、油溶性の色素や染料の採用により、例えば、色素等を揮散性薬剤に溶解させ、色素等と親和性のない担持体に保持することにより揮散に伴い色彩の減色を確認する。
水筆法の原理をインジケーターとして使用することができる。
水筆法とは、例えば、着色した紙材などの担持体に揮散性薬剤を含浸すると共に表面に酸化チタンの微粒子を付着させ、該薬剤の消失に伴い着色した元の色から酸化チタンの白色に変色させる方法である。着色した紙材として、赤、橙、黄、緑、青、藍、紫、白、黒、グレーなど彩色が挙げられ、色変化、文字や模様などの表示で確認できる。
【００４９】
前述した簡易薬剤揮散器は、薬剤供給手段３０とセットで販売することが好ましい。
このようにすれば、使用者が使用した後に薬剤保持体２０に、薬剤を再保持して繰り返して使用できる。
この場合、薬剤供給手段３０を異なる薬剤を有する複数のものとすれば、使用者の好み等に応じて薬剤を選択できる。
【００５０】
【発明の効果】
請求項１に係る発明によれば、支持体１０を２つ折り状態とすることで薬剤保持体２０が重合形状となる。
よって、揮散器全体がコンパクトになって運搬、保管等が容易である。
前記支持体１０を展開状態とすることで薬剤保持体２０が立体形状となり、この薬剤保持体２０の空気と接触する面積が大きいから、薬剤をスムーズに自然に気中に揮散することができる。
【００５１】
また、支持体１０の開口部１６から薬剤を薬剤保持体２０に供給することで、その薬剤保持体２０が薬剤を保持する。
よって、製造時や使用後に薬剤保持体２０に薬剤を簡単に保持できる。
【００５２】
したがって、薬剤保持体２０を支持体１０に取付けた後に薬剤保持体２０に薬剤を保持させることで製造できるから、その製造作業が容易であると共に、薬剤保持体２０に損傷を与えることがない。
また、使用後に薬剤保持体２０に薬剤を保持させることで、繰り返し使用できるから経済的である。
【００５３】
請求項２に係る発明によれば、凹陥部２２に薬剤を溜めることができるので、その薬剤の供給を容易にできる。
【００５４】
請求項３に係る発明によれば、支持体１０を、折り曲げ用連結片１３が上となるように支持し、その開口部１６から薬剤を供給することで薬剤保持体２０の一端面２０ａに供給されるので、その薬剤保持体２０の全体に亘って薬剤を効率良く保持できる。
この場合に、開口部１６は折り曲げ用連結片１３の長手方向中央部に形成し、薬剤保持体２０の一端面２０ａにおける長手方向中央部に薬剤が供給されるようにすることが好ましい。
【００５５】
請求項４に係る発明によれば、第１板状体１１と第２板状体１２を２つ折り状態に保持できるから、持ち運び時などに展開状態となることがない。
また、第１板状体１１と第２板状体１２の間隔を調整することで、薬剤保持体２０のセル２１を若干拡開した状態になるので、薬剤を保持し易い。
【００５６】
請求項５に係る発明によれば、支持体１０に薬剤保持体２０を取付けて簡易薬剤揮散器を製造した後に、薬剤供給手段３０によって開口部１６から薬剤を供給して薬剤保持体２０に薬剤を保持するので、薬剤保持体２０が薬剤を保持しない状態で支持体１０に取付けることができるから、その薬剤保持体２０を人が手で持って取り扱う際に薬剤が手に付着することがないし、薬剤を保持していないから支持体１０に強固に取付けできる。
また、使用によって薬剤が揮散して無くなった場合等には、再度薬剤を保持して繰り返し使用できる。
【００５７】
請求項６に係る発明によれば、薬剤供給手段３０によって薬剤保持体２０に所定の量の薬剤を供給できるので、所定の量の薬剤を簡単に保持できる。
【図面の簡単な説明】
【図１】本発明の第１の実施の形態を示す簡易薬剤揮散器の２つ折り状態の斜視図である。
【図２】本発明の第１の実施の形態を示す簡易薬剤揮散器の１８０度展開状態の断面図である。
【図３】本発明の第１の実施の形態を示す簡易薬剤揮散器の３６０度展開状態の斜視図である。
【図４】図１のＡ−Ａ拡大断面図である。
【図５】薬剤供給状態の正面図である。
【図６】開口部の異なる簡易薬剤揮散器の２つ折り状態の斜視図である。
【図７】薬剤供給状態の正面図である。
【図８】開口部の異なる簡易薬剤揮散器の２つ折り状態の平面図である。
【図９】図８の正面図である。
【図１０】ヒンジを用いた簡易薬剤揮散器の２つ折り状態の斜視図である。
【図１１】図１０のＢ−Ｂ断面図である。
【図１２】開口部に蓋を取付けた簡易薬剤揮散器の２つ折り状態の斜視図である。
【図１３】薬剤保持体を二分割した簡易薬剤揮散器の２つ折り状態の平面図である。
【図１４】含浸体を取付けるようにした簡易薬剤揮散器の２つ折り状態の斜視図である。
【図１５】含浸体を取付けた簡易薬剤揮散器の２つ折り状態の平面図である。
【符号の説明】
１０…支持体、１１…第１板状体、１２…第２板状体、１３…折り曲げ用連結片、１６…開口部、２０…薬剤保持体、２１…セル、２２…凹陥部、３０…薬剤供給手段。
【図１】
2005006884.tif 000003
【図２】
2005006884.tif 000004
【図３】
2005006884.tif 000005
【図４】
2005006884.tif 000006
【図５】
2005006884.tif 000007
【図６】
2005006884.tif 000008
【図７】
2005006884.tif 000009
【図８】
2005006884.tif 000010
【図９】
2005006884.tif 000011
【図１０】
2005006884.tif 000012
【図１１】
2005006884.tif 000013
【図１２】
2005006884.tif 000014
【図１３】
2005006884.tif 000015
【図１４】
2005006884.tif 000016
【図１５】
2005006884.tif 000017